(57)【要約】【課題】木質系床材の含水率の変化による端部の突き上げや波打ち現象を防止するとともに軋み音の発生しにくい床材を容易に施工できる方法と床構造を提供する。【解決手段】接合すべき端面に実矧ぎ用雄実または雌実を有する木質床材において、雄実上方端面、雌実上方端面のいずれか一つに引張りにより容易に剥がすことのできる間隙調整材２を貼り付けておき、床材１施工後該間隙調整材２を除去する床材１の施工方法と床材１同志を接合した雄実上方端面と雌実上方端面との接合面間に所定の隙間を形成すると共に床材１の伸びを吸収する弾性体５を設けた床構造。【選択図】図１
2006322145.tif 000002
【特許請求の範囲】
【請求項１】
接合すべき端面に実矧ぎ用雄実または雌実を有する木質床材において、雄実上方端面、雌実上方端面のいずれか一つに予め間隙調整材を貼り付けておき、床材施工後該間隙調整材を除去する床材の施工方法。
【請求項２】
間隙調整材が樹脂テープ、樹脂紐などからなり、引張りにより容易に床材から剥がすことのできるものである請求項１記載の床材の施工方法。
【請求項３】
床材同士を接合した接合面の上面に間隙調整材の少なくとも一部が床材上面に突出するように取り付けられている請求項１ないし２いずれか記載の床材の施工方法。
【請求項４】
接合すべき端面に実矧ぎ用雄実または雌実を有する木質床材において、床材同士を接合した雄実上方端面と雌実上方端面との接合面間に所定の隙間を形成すると共に床材の伸びを吸収する弾性体を設けた床構造。
【請求項５】
上記弾性体が比較的硬質のゴム、プラスチックからなる請求項４記載の床構造。
【発明の詳細な説明】
【技術分野】
【０００１】
本発明は実接合によって接合施工される木質系床材の施工方法および床構造に関するものである。すなわち木質系床材の含水率の変化による床材の寸法変化による木質系床材の突き上げや波打ち現象を防止すると共に軋み音の発生しにくい床材の施工方法および床構造を提供するものである。
【背景技術】
【０００２】
従来、木質系床材は多くの場合実接合によって施工されている。この方法によると床材が隙間なく接合されているので床下地からの吸湿により寸法が伸び床材の端部が突き上げられたり波打ち現象が起こり外観が悪くなると共に軋み音が発生することがある。この為に床材間に伸びを吸収する為に床材間に０．２から０．７ｍｍの隙間を設けているが施工のばらつきが多く、これを解消するためにスペーサを介して施工されることが多い。
【特許文献１】特開平１０―３７４３９号公報（第４頁、図２）
【特許文献２】特許第２７８１０５４号公報（第３頁、図３）
【発明の開示】
【発明が解決しようとする課題】
【０００３】
上記特許文献１に記載されている床材の施工方法は床材端面間にスペーサを介在させると共に実端部と小穴底部との間に弾性体が挟持される状態に保って床材を接合施工し施工後スペーサを取り外す床材の施工方法であり、スペーサは施工時に取り付けるもので床材毎にスペーサを介装させて施工させねばならず複雑な工程が要求される。
【０００４】
また特許文献２においても伸び量吸収用スペーサを床材施工時に介装して敷接固定し、その後接着剤の乾燥硬化する前にスペーサを取り外すものであり時間的に制約があり施工が面倒なものである。
【０００５】
これに対し本願発明は、予め間隙調整材を床材端面に取り付けてあるので施工が容易かつ迅速に行えるものである。又本発明の床構造においては床材と床材の間に弾性体を介在させており、一定間隔の隙間を形成すると共に弾性体が変形することにより床材の寸法の伸びを吸収するものである。
【課題を解決するための手段】
【０００６】
上記課題を解決するために、本発明に係る床材の施工方法および床構造における第一の特徴構成は、請求項１に記載した如く、接合すべき端面に実矧ぎ用雄実または雌実を有する木質床材において、雄実上方端面、雌実上方端面のいずれか一つに予め間隙調整材を貼り付けておき、床材施工後該間隙調整材を除去する点にある。
【０００７】
同第二の特徴構成は、請求項２に記載した如く、上記の特徴構成に加えて間隙調整材が樹脂テープ、樹脂紐などからなり引っ張りにより床材から容易に剥がすことのできる点にある。
【０００８】
同第三の特徴構成は、請求項３に記載した如く、床材同志を接合した接合面の上面に間隙調整材の少なくとも一部が床材上面に突出するように取り付けられている点にある。
【０００９】
同第四の特徴構成は、請求項４に記載した如く接合すべき端面に実矧ぎ用雄実または雌実を有する木質床材において、床材同志を接合した雄実上方端面と雌実上方端面との接合面間に所定の隙間を形成すると共に床材の伸びを吸収する弾性体を設けた点にある。
【００１０】
同第五の特徴構成は、請求項５に記載した如く上記弾性体が比較的硬質のゴム、プラスチックからなる点にある。
【発明の効果】
【００１１】
請求項１に記載の床材の施工方法は前記構成であり、床材を施工するに際していちいち間隙調整材を取付ける必要がなく、しかも床材間に一定の間隔の隙間が形成されるので施工が容易にできる。
【００１２】
請求項２に記載の床材の施工方法は前記構成であり、施工後、間隙調整材を床材から取り除くのが容易となる。
【００１３】
請求項３に記載の床材の施工方法は前記構成であり、間隙調整材の突出部を引っ張り上げるのみで簡単に間隙調整材を床面から取り除くことができる。
【００１４】
請求項４に記載の床構造は前記構成であるので間隙調整材を用いることなく弾性体を用いて床材を施工するが、弾性体は床材の伸びを吸収するものであるから間隙調整材を取り除く手間が省けるものである。
【００１５】
請求項５に記載の床構造は前記構成であるので床材の施工において弾性体を変形させることなく施工すれば床材間に一定の間隙が得られるものである。
【発明を実施するための最良の形態】
【００１６】
以下、本発明の実施形態について図面を参照して、詳細に説明する。図１ないし図４は本発明に係る床材の施工方法の実施例を示すものである。
【００１７】
図1は本願発明の床材１の雄実上方端面に間隙調整材２として樹脂テープ３を貼り付けたものを示している。樹脂テープ３には粘着材が極く少量塗布されており引っ張りにより床材１から容易に剥がすことのできるものである。この樹脂テープ３は床材１の雄実上方端面の全長にわたり設ける必要はなく少なくとも隙間のばらつきが生じないように床材１の前方部および後方部に設けておけば良い。
【００１８】
図２に示すように樹脂テープ３は床材１が床下地６上に施工されたとき、樹脂テープ３上部が床材1、1同士の接合面の上部に突出するように取り付けられている。樹脂テープ３は屈曲性があるので施工時に邪魔になることはなく、施工後樹脂テープ３の突出部をつまみ引っ張ることで樹脂テープ３を取り除くことができ、床材1、1間には樹脂テープ３の厚みの隙間が形成される。
【００１９】
図３は間隙調整材２として樹脂紐４を用いた実施例を示し樹脂紐４は雄実上方端面に取り付けられており樹脂紐４の端部が床材１の上面に突出するようになっている。この場合床材１、１を施工後、樹脂紐４を引っ張ることで間隙調整材２である樹脂紐４が除去できるので間隙調整材２の除去が容易となる。間隙調整材２は雄実上方端部でなく雌実上方端部に設けても良いものである。
【００２０】
図４は床下地６上に床材１、１同士の雄実上方端面と雌実上方端面との接合面間に所定の隙間を形成すると同時に床材1の伸びを吸収する弾性体５を設けた床構造を示している。この弾性体５としては比較的硬質のゴムなどを使用するのが好ましい。弾性体５として軟質の発泡体のみを使用した場合、床材１を施工したときに一定の隙間を形成することはできるが施工時に変形してしまい床材１の伸びが吸収できない場合が生じる。
【００２１】
比較的硬質のゴムなどを用いた場合は一定の隙間を形成することが容易にでき、床材１の伸びが生じたときには弾性体５は圧縮により弾性変形し床材１の伸びを吸収できる。弾性体５は床材１が伸びて弾性変形した場合床材１、１の接合面の上面に突出しない形状にすることが必要である。弾性体５は床材１の端面に予め取り付ける必要はなく、床材１の施工時に床材１、１間に嵌め合わせても良い。しかし予め床材１の端面に取り付けておけば床材１の施工時に弾性体５の取り付けの手間が省けるので都合が良い。
【００２２】
以上に説明したように床材１の施工方法では間隙調整材２が床材に取り付けられているので床材１の施工時に間隙調整材２をいちいち介装する必要がなく施工後取り外すのみで良く作業性が良いものである。この間隙調整材２の取り外しも間隙調整材２の一部が接合部の上部に突出しているので簡単にできる。
【００２３】
これにより床全面にわたり床材１、１間に一定間隔の間隙が形成できるので見映えが良く、床材１に伸びによる床材１の突き上げや波打ち現象が防止でき、軋み音の発生がなくなるものである。
【００２４】
一方床構造では上述の効果に加え、間隙調整材２の取り外しも不要となりより一層施工が簡略となる。
【図面の簡単な説明】
【００２５】
【図１】本発明にかかる床材の施工方法の一実施例に用いられる床材の部分斜視図。
【図２】図１に示す床材を床下地上に施工したときの接合部を示す断面図。
【図３】間隙調整材として樹脂テープに代えて樹脂紐を用いた床材の部分斜視図。
【図４】床下地上に床材を施工したときの隙間を形成する弾性体を用いた接合部を示す断面図。
【符号の説明】
【００２６】
１      床材
２      間隙調整材
３      樹脂テープ
４      樹脂紐
５      弾性体
６      床下地
【図１】
2006322145.tif 000003
【図２】
2006322145.tif 000004
【図３】
2006322145.tif 000005
【図４】
2006322145.tif 000006